(57)【要約】【課題】ネジボス周囲のコイルスプリング設置スペースを不要にして、光学部品ユニットの設計の自由度と組み込み作業性を向上し、既存部品にも容易に追加可能とする。【解決手段】光学部品ユニット５と、受光素子１が搭載されたプレート２との間に、環状の平板により形成されて複数個所のネジｎ位置に対応する高さ調整用のための弾性部１５を一体に有する環状平板部材１０を介装する。そして、光学部品ユニット５とプレート２とを環状平板部材１０を介装して複数個所でネジｎ止めするとともに、その複数個所のネジｎに各々対応する弾性部１５により光学部品ユニット５に対する受光素子１の傾きを調整可能とする。【選択図】図１
2014052397.tif 000002
【特許請求の範囲】
【請求項１】
光学部品ユニットと、受光素子が搭載されたプレートとの間に、環状の平板により形成されて複数個所のネジ位置に対応する高さ調整用のための弾性部を一体に有する環状平板部材を介装し、
前記光学部品ユニットと前記プレートとを前記環状平板部材を介装して前記複数個所でネジ止めするとともに、その複数個所のネジに各々対応する前記弾性部により前記光学部品ユニットに対する前記受光素子の傾きを調整可能としたことを特徴とする光学部品ユニットと受光素子の実装構造。
【請求項２】
前記光学部品はレンズで、前記受光素子は撮像素子であることを特徴とする請求項１に記載の光学部品ユニットと受光素子の実装構造。
【請求項３】
前記光学部品ユニットまたは前記プレートには、前記弾性部に当接して前記ネジの締め具合を複数段階で体感させるギザギザ形状部が形成されていることを特徴とする請求項１または２に記載の光学部品ユニットと受光素子の実装構造。
【請求項４】
前記弾性部には、前記光学部品ユニットまたは前記プレートに当接して前記ネジの締め具合を複数段階で体感させる屈曲部が形成されていることを特徴とする請求項１または２に記載の光学部品ユニットと受光素子の実装構造。
【請求項５】
前記光学部品ユニットまたは前記プレートには、前記弾性部が当接して前記ネジの締め具合を複数段階で体感させる凹部が形成されていることを特徴とする請求項１または２に記載の光学部品ユニットと受光素子の実装構造。
【請求項６】
光学部品ユニットと、受光素子が搭載されたプレートとの間に介装し、環状の平板により形成されて複数個所のネジ位置に対応する高さ調整用のための弾性部を一体に備えることを特徴とする環状平板部材。
【請求項７】
前記環状で前記平板状のバネ材により形成されていることを特徴とする請求項６に記載の環状平板部材。
【請求項８】
前記弾性部には、前記光学部品ユニットまたは前記プレートに当接して前記ネジの締め具合を複数段階で体感させる屈曲部が形成されていることを特徴とする請求項７に記載の環状平板部材。
【請求項９】
前記環状で前記平板状の柔軟材により形成されていることを特徴とする請求項６に記載の環状平板部材。
【請求項１０】
前記弾性部は、前記ネジを挿通する円筒部により形成されていて、
前記円筒部が前記光学部品ユニットまたは前記プレートに当接して前記ネジの締め具合を外径の弾性変形により複数段階で体感させることを特徴とする請求項９に記載の環状平板部材。
【発明の詳細な説明】
【技術分野】
【０００１】
本発明は、光学部品ユニットと受光素子の実装構造と、その実装に用いる環状平板部材に関する。
【背景技術】
【０００２】
デジタルカメラの実装において、レンズユニットと、そのレンズユニットに撮像素子を取り付けるためアッシー部品の実装構造が特許文献１に開示される。
その実装構造では、アッシー部品のネジ部とレンズユニットのネジボス間にコイルスプリングを設置し、レンズユニットにアッシー部品を組み込み後に、レンズの光軸と撮像素子の撮像面が垂直となるように３個所のネジを回転させて撮像面の傾きを調整する。
【先行技術文献】
【特許文献】
【０００３】
【特許文献１】特開２００７−１１０２５７号公報
【発明の概要】
【発明が解決しようとする課題】
【０００４】
しかし、特許文献１の実装構造では、微小なコイルスプリングの組み込み作業性の問題や、レンズ設計時に予めコイルスプリングの組み込みスペースを確保する必要があった。
【０００５】
本発明の課題は、ネジボス周囲のコイルスプリング設置スペースを不要にして、光学部品ユニットの設計の自由度と組み込み作業性を向上し、既存部品ユニットにも容易に追加可能とすることである。
【課題を解決するための手段】
【０００６】
以上の課題を解決するため、本発明は、
光学部品ユニットと、受光素子が搭載されたプレートとの間に、環状の平板により形成されて複数個所のネジ位置に対応する高さ調整用のための弾性部を一体に有する環状平板部材を介装し、
前記光学部品ユニットと前記プレートとを前記環状平板部材を介装して前記複数個所でネジ止めするとともに、その複数個所のネジに各々対応する前記弾性部により前記光学部品ユニットに対する前記受光素子の傾きを調整可能とした、光学部品ユニットと受光素子の実装構造を特徴とする。
【発明の効果】
【０００７】
本発明によれば、ネジボス周囲のコイルスプリング設置スペースが不要なため、光学部品実装の設計の自由度と組み込み作業性を向上することができ、既存部品ユニットにも容易に追加することができる。
【図面の簡単な説明】
【０００８】
【図１】本発明を適用した実装構造の一実施形態の構成を示す分解斜視図である。
【図２】図１の環状平板部材の拡大図である。
【図３】図２の矢印Ａ部の拡大図である。
【図４】図１の光学部品ユニットに環状平板部材及び受光素子を組み込んだ状態を示した斜視図である。
【図５】図４の矢印Ａ部を拡大してネジを透視状態で示した図である。
【図６】図５を更に拡大して一部を破断して示した図である。
【図７】変形例１を示す要部側面図である。
【図８】変形例２を示す要部側面図である。
【図９】変形例３を示す要部側面図である。
【発明を実施するための形態】
【０００９】
以下、図を参照して本発明を実施するための形態を詳細に説明する。
（実施形態）
図１は本発明を適用した実装構造の一実施形態の構成を示す分解斜視図で、１は撮像素子（受光素子）、２はセンサープレート、３はセンサーＦＰＣ、４はセンサー基板、５はレンズユニット（光学部品ユニット）、６はセンサーラバー、７は光学フィルター、８は位置決めピン、９はネジボス、１０は環状平板部材、ｎはネジである。
【００１０】
図示のように、受光素子である撮像素子１は、その周囲を囲む方形で環状のセンサープレート２に搭載されて、センサーＦＰＣ３を接続したセンサー基板４に電気的接続されている。
光学部品ユニットであるレンズユニット５は、中央にセンサーラバー６及び光学フィルター７を組み込んで、その周囲２箇所（平行辺部）の位置決めピン８と、周囲３箇所（三辺部）のネジボス９とを備えている。
【００１１】
以上のレンズユニット５のセンサーラバー６及び光学フィルター７の周囲とセンサープレート２は、その間に環状平板部材１０を介装してネジｎで結合される。
【００１２】
環状平板部材１０は、センサープレート２に類似した方形で板バネにより形成されて、図２に拡大して示すように、その周囲２箇所（平行辺部）の位置決め突片１１及び位置決め孔１２と、周囲３箇所（三辺部）のネジ止め突片１３及びネジ止め孔１４とを備えている。
【００１３】
さらに、ネジ止め孔１４の周囲には、図３に拡大して示すように、その直径方向に対向して半抜きプレス成形により傾斜した弾性を具備するバネ部１５が形成されている。
このように、環状平板部材１０は、１回のプレス成形により得られる加工上のメリットがある。
【００１４】
図４はレンズユニット５に環状平板部材１０及び受光素子１を組み込んだ状態を示したもので、図示のように、受光素子１の周囲において、レンズユニット５の２本の位置決めピン８を、環状平板部材１０の位置決め孔１２に通してセンサープレート２にそれぞれ挿入している。
【００１５】
そして、３本のネジｎを、図５及び図６に示すように、センサープレート２及び環状平板部材１０のネジ止め孔１４に通してネジボス９にそれぞれ締め込む。
このとき、ネジｎの頭部下方には、環状平板部材１０の位置決め孔１２周囲の直径方向に対向してバネ部１５がレンズユニット５上に位置して、このバネ部１５により環状平板部材１０を介してセンサープレート２に上方への弾性力が付与されている。
【００１６】
ここで、作業者は、撮像素子１の周囲３箇所のネジｎのいずれか、または幾つかを必要量回転することにより、ネジｎ部の高さを正確に調整することができ、撮像素子１の傾きを正確に調整することが可能となる。
すなわち、レンズユニット５のレンズの光軸と撮像素子１の撮像面が垂直となるように３個所のネジｎを必要に応じ回転させて撮像面の傾きを調整することができる。
なお、調整量（回転角）は、使用するネジピッチｘ（回転角／３６０）で正確に調整することができる。
【００１７】
以上、実施形態の実装構造によれば、レンズユニット５と撮像素子１が搭載されたプレート２との間に、３個所のネジｎ位置に対応する高さ調整用のためのバネ部１５を一体に備える環状平板部材１０を介装することで、レンズユニット５のネジボス９の周囲には、従来のようなコイルスプリング設置スペースが不要なため、レンズユニット５の設計の自由度が向上し、既存レンズへ容易に追加可能である。
【００１８】
（変形例１）
図７は変形例１を示す要部側面図で、図示のように、レンズユニット５の上面であって、環状平板部材１０のバネ部１５の先端が当接する部分にギザギザ形状部５１が形成されている。
このように、レンズユニット５の上面にギザギザ形状部５１を形成しておけば、バネ部１５の先端がギザギザ形状部５１に当接して、作業者にネジｎの締め具合をギザギザ形状部５１の位置に応じた多段階で体感させることができる。
【００１９】
なお、バネ部１５をセンサープレート２側に傾斜させた場合には、センサープレート２の下面であって、バネ部１５の先端が当接する部分にギザギザ形状部を形成する。
【００２０】
（変形例２）
図８は変形例２を示す要部側面図で、図示のように、バネ部１５の途中に逆方向の屈曲部１６が形成されている。
このように、バネ部１５の途中に逆方向の屈曲部１６を形成しておけば、バネ部１５の途中の屈曲部１６がレンズユニット５の上面に先に当接してから、バネ部１５は屈曲部１６の先端がセンサープレート２の下面に当接するので、作業者にネジｎの締め具合を２段階で体感させることができる。
【００２１】
なお、バネ部１５をセンサープレート２側に傾斜させた場合には、その逆方向に屈曲部を形成する。
また、屈曲部１６の数は互い違い方向に２段階以上でもよい。
【００２２】
（変形例３）
図９は変形例３を示す要部側面図で、環状平板部材１０をウレタンなどの柔軟材で形成して、この柔軟材による環状平板部材１０に、図示のように、ネジｎを通して、その柔軟性によりバネ部として機能する円筒部１７を一体に形成しておく。
【００２３】
そして、柔軟材による環状平板部材１０に、図示のように、ネジｎを通して、その柔軟性によりバネ部として機能する円筒部１７を一体に形成しておく。レンズユニット５の上面であって、柔軟材による環状平板部材１０の円筒部１７の先端が当接する部分には、その円筒部１７より十分に大径の凹部５２を形成しておく。
【００２４】
このように、柔軟材による環状平板部材１０にバネ部として機能する円筒部１７を形成して、レンズユニット５の上面に凹部５２を形成しておけば、円筒部１７が先端から凹部５２に当接して、円筒部１７の外径が弾性変形により膨らんでいくので、作業者にネジｎの締め具合を連続的に無段階で体感させることができる。
【００２５】
なお、円筒部１７をセンサープレート２側に設けた場合には、センサープレート２の下面に凹部を形成する。
【００２６】
（他の変形例）
以上の実施形態においては、レンズユニットと撮像素子としたが、本発明はこれに限定されるものではなく、光ディスクドライブの光学ピックアップのレーザー光源及び受光部など他の光学部品と受光素子であってもよい。
また、実施形態では、ネジ位置に対応した３箇所の弾性部としたが、要は複数の弾性部であればよい。
さらに、環状平板部材の形状等も任意であり、その他、具体的な細部構造等についても適宜に変更可能であることは勿論である。
【００２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
光学部品ユニットと、受光素子が搭載されたプレートとの間に、環状の平板により形成されて複数個所のネジ位置に対応する高さ調整用のための弾性部を一体に有する環状平板部材を介装し、
前記光学部品ユニットと前記プレートとを前記環状平板部材を介装して前記複数個所でネジ止めするとともに、その複数個所のネジに各々対応する前記弾性部により前記光学部品ユニットに対する前記受光素子の傾きを調整可能としたことを特徴とする光学部品ユニットと受光素子の実装構造。
＜請求項２＞
前記光学部品はレンズで、前記受光素子は撮像素子であることを特徴とする請求項１に記載の光学部品ユニットと受光素子の実装構造。
＜請求項３＞
前記光学部品ユニットまたは前記プレートには、前記弾性部に当接して前記ネジの締め具合を複数段階で体感させるギザギザ形状部が形成されていることを特徴とする請求項１または２に記載の光学部品ユニットと受光素子の実装構造。
＜請求項４＞
前記弾性部には、前記光学部品ユニットまたは前記プレートに当接して前記ネジの締め具合を複数段階で体感させる屈曲部が形成されていることを特徴とする請求項１または２に記載の光学部品ユニットと受光素子の実装構造。
＜請求項５＞
前記光学部品ユニットまたは前記プレートには、前記弾性部が当接して前記ネジの締め具合を複数段階で体感させる凹部が形成されていることを特徴とする請求項１または２に記載の光学部品ユニットと受光素子の実装構造。
＜請求項６＞
光学部品ユニットと、受光素子が搭載されたプレートとの間に介装し、環状の平板により形成されて複数個所のネジ位置に対応する高さ調整用のための弾性部を一体に備えることを特徴とする環状平板部材。
＜請求項７＞
前記環状で前記平板状のバネ材により形成されていることを特徴とする請求項６に記載の環状平板部材。
＜請求項８＞
前記弾性部には、前記光学部品ユニットまたは前記プレートに当接して前記ネジの締め具合を複数段階で体感させる屈曲部が形成されていることを特徴とする請求項７に記載の環状平板部材。
＜請求項９＞
前記環状で前記平板状の柔軟材により形成されていることを特徴とする請求項６に記載の環状平板部材。
＜請求項１０＞
前記弾性部は、前記ネジを挿通する円筒部により形成されていて、
前記円筒部が前記光学部品ユニットまたは前記プレートに当接して前記ネジの締め具合を外径の弾性変形により複数段階で体感させることを特徴とする請求項９に記載の環状平板部材。
【符号の説明】
【００２８】
１  撮像素子（受光素子）
２  プレート
３  ＦＰＣ
４  基板
５  レンズユニット（光学部品ユニット）
６  ラバー
７  光学フィルター
８  位置決めピン
９  ネジボス
１０  環状平板部材
１１  位置決め突片
１２  位置決め孔
１３  ネジ止め突片
１４  ネジ止め孔
１５  弾性部
１６  屈曲部
１７  円筒部（弾性部）
５１  ギザギザ形状部
５２  凹部
ｎ  ネジ
【図１】
2014052397.tif 000003
【図２】
2014052397.tif 000004
【図３】
2014052397.tif 000005
【図４】
2014052397.tif 000006
【図５】
2014052397.tif 000007
【図６】
2014052397.tif 000008
【図７】
2014052397.tif 000009
【図８】
2014052397.tif 000010
【図９】
2014052397.tif 000011